(57)【要約】【課題】本発明は下肢マッサージ機を提供する。【解決手段】本発明の下肢マッサージ機は、カバー本体（１）、ベース（２）及びマッサージコアを備え、前記マッサージコアがかかとマッサージ機構を備え、前記かかとマッサージ機構が駆動装置と振動装置を備え、駆動装置がモータ（８）、駆動軸（１１）及び偏心ローター（９）を備え、振動装置が受け部材と案内部材（１２）を備え、受け部材がかかとを受ける受け板（４）と受け板を振動駆動する偏向スリーブ（１０）とを備え、偏向スリーブ（１０）が偏心ローター（９）に取り付けられ、偏向スリーブ（１０）の偏向軸線と偏心ローター（９）の回転軸線が重なり、案内部材の一端部がベース（２）にヒンジ連結され、他端部が受け部材にヒンジ連結されて偏向スリーブ（１０）の偏向角度を限定する。【選択図】図１
2018500966.tif 000002
【特許請求の範囲】
【請求項１】
カバー本体、ベース及びマッサージコアを備え、前記マッサージコアがかかとマッサージ機構を備える下肢マッサージ機であって、前記かかとマッサージ機構が駆動装置と振動装置を備え、駆動装置がモータ、駆動軸及び偏心ローターを備え、振動装置が受け部材と案内部材を備え、受け部材がかかとを受ける受け板と受け板を振動駆動する偏向スリーブとを備え、偏向スリーブが偏心ローターに取り付けられ、偏向スリーブの偏向軸線と偏心ローターの回転軸線が重なり、案内部材の一端部がベースにヒンジ連結され、他端部が受け部材にヒンジ連結されて偏向スリーブの偏向角度を限定することを特徴とする下肢マッサージ機。
【請求項２】
前記偏向スリーブと偏心ローターとの間には転がり軸受が取り付けられていることを特徴とする請求項１に記載の下肢マッサージ機。
【請求項３】
前記マッサージコアはさらに爪先マッサージ部材と足裏マッサージ部材を備えることを特徴とする請求項１に記載の下肢マッサージ機。
【請求項４】
前記足裏マッサージ部材がローラであり、爪先マッサージ部材が揉み板であり、揉み板がドラムに設けられたクランク軸にリンクロッドを介して接続されることを特徴とする請求項３に記載の下肢マッサージ機。
【請求項５】
前記足裏マッサージ部材と爪先マッサージ部材がいずれもローラであり、両者間が歯車機構によって伝動されることを特徴とする請求項３に記載の下肢マッサージ機。
【請求項６】
前記ベースには金属ライナーが設けられており、振動装置が金属ライナーに固定して接続されることを特徴とする請求項１に記載の下肢マッサージ機。
【請求項７】
前記ベースにはヒンジ連結ホルダーが固定して取り付けられており、案内部材がヒンジ連結ホルダーに可動にヒンジ連結され、ヒンジ連結ホルダーが金属ライナーに固定して接続されることを特徴とする請求項６に記載の下肢マッサージ機。
【請求項８】
前記ベースにはかかとを置くためのかかとホルダーが取り付けられており、かかとホルダーの底部には受け部材を上下運動させるための開口を有することを特徴とする請求項１に記載の下肢マッサージ機。
【請求項９】
前記かかとホルダーの側面には足部後側を囲む保護板を有することを特徴とする請求項１に記載の下肢マッサージ機。
【請求項１０】
前記受け部材及びベースのいずれにもフォーク型ヒンジ連結ホルダーが設けられており、案内部材のヒンジ連結端部がフォーク型ヒンジ連結ホルダー内に位置し、案内部材のヒンジ連結端部には転がり軸受が嵌設されており、ヒンジ連結ピンが転がり軸受の内輪に固定して接続されることを特徴とする請求項１に記載の下肢マッサージ機。
【発明の詳細な説明】
【技術分野】
【０００１】
本発明はマッサージ器具分野に関し、具体的には、振動マッサージ機能を有する下肢マッサージ機に関する。
【背景技術】
【０００２】
下肢マッサージ機は人体の足部つぼをマッサージするための健康マッサージ装置であり、足部つぼのマッサージによって、疲労を軽減させ、精神の緊張を緩和させ、睡眠を改善することができ、それにより、人体の健康を改善する。従来の下肢マッサージ機は足部の局所マッサージを実現できるのみで、且つ、マッサージ効果が良好ではなく、構造が複雑であり、コストが高い。公開番号ＣＮ１０２１０６７８０Ａの特許に開示された足裏マッサージ機は、モータで偏心輪機構を往復揺動させるように駆動して足裏の爪先と足裏部位を同時にマッサージするが、当該足裏マッサージ機にはかかとを受ける受け面が設置されていてかかとの部位をマッサージすることができず、マッサージできる部位が少ない。その改良として、公開番号ＣＮ２０２８４４０９８Ｕの実用新案に開示された足部マッサージ器では、かかとマッサージ機構が増設され、足裏面全体をマッサージすることができるが、該足部マッサージ器にはかかとの受け面が設置されておらず、マッサージ時に、マッサージプレートが往復揺動して足部がマッサージプレートとよく接触することができず、マッサージ効果が弱くなる。また、従来の下肢マッサージ機によるかかとに対するマッサージがいずれも揉み式のマッサージであり、かかと部の感度が低いため、揉みマッサージの効果が悪い。
【発明の概要】
【発明が解決しようとする課題】
【０００３】
本発明が解決しようとする技術課題は、上記従来技術に存在している欠陥を克服して、マッサージ効果が良好で、且つ構造が簡単である下肢マッサージ機を提供することである。
【課題を解決するための手段】
【０００４】
上記技術課題を解決するために、本発明は以下の解決手段を採用する。
【０００５】
下肢マッサージ機であって、カバー本体、ベース及びマッサージコアを備え、マッサージコアがかかとマッサージ機構を備え、かかとマッサージ機構が駆動装置と振動装置を備え、駆動装置が、モータ、駆動軸及び偏心ローターを備え、振動装置が受け部材と案内部材を備え、受け部材が、かかとを受ける受け板と受け板を振動駆動する偏向スリーブとを備え、偏向スリーブが偏心ローターに取り付けられ、偏向スリーブの偏向軸線と偏心ローターの回転軸線が重なり、案内部材の一端部がベースにヒンジ連結され、他端部が受け部材にヒンジ連結されて偏向スリーブの偏向角度を限定する。
【０００６】
本発明はさらに、以下の技術的手段によってより一層改善することができる。
【０００７】
偏向スリーブと偏心ローターとの間には転がり軸受が取り付けられている。マッサージコアはさらに爪先マッサージ部材と足裏マッサージ部材を備える。足裏マッサージ部材がローラであり、爪先マッサージ部材が揉み板であり、揉み板がドラムに設けられたクランク軸にリンクロッドを介して接続される。又は、足裏マッサージ部材と爪先マッサージ部材がいずれもローラであり、両者間が歯車機構によって伝動される。ベースには金属ライナーが設けられており、振動装置が金属ライナーに固定して接続される。ベースにはヒンジ連結ホルダーが固定して取り付けられており、案内部材がヒンジ連結ホルダーに可動にヒンジ連結され、ヒンジ連結ホルダーは金属ライナーに固定して接続される。ベースにはかかとを置くためのかかとホルダーが取り付けられており、かかとホルダーの底部には受け部材を上下運動させるための開口を有する。かかとホルダーの側面には足部後側を囲む保護板を有する。受け部材及びベースのいずれにもフォーク型ヒンジ連結ホルダーが設けられており、案内部材のヒンジ連結端部がフォーク型ヒンジ連結ホルダー内に位置し、案内部材のヒンジ連結端部には転がり軸受が嵌設されており、ヒンジ連結ピンが転がり軸受の内輪に固定して接続される。
【０００８】
以上の技術的手段を採用することによって、本発明は以下の有益な効果を有する。
【０００９】
本発明のかかとマッサージ機構は振動式マッサージ機構であり、かかとと脚部を同時に振動させて、振動式のマッサージ効果をもたらし、足部と脚部を同時にマッサージし、シェイプアップの機能を有し、従来の下肢マッサージ機が揉み方式のみで足部をマッサージし、マッサージ効果が単調であるという欠陥を克服する。
【００１０】
本発明のかかとマッサージ機構はさらに、安定かつ安全であるという有益な効果を有する。振動時に、かかとが受け部材から脱落して負傷することを防止するために、本発明はかかと箇所にかかとホルダーと保護板を設置する。受け部材を一定の範囲内で揺動させることにより振動効果をもたらすために、本発明は案内部材を設置し、案内部材の両端がそれぞれ受け部材及びベースにヒンジ連結されて、受け部材の左右偏向を防止するだけでなく、受け部材の揺動角度の範囲も制限する。
【図面の簡単な説明】
【００１１】
【図１】図１は実施例の全体構造模式図である。
【図２】図２は実施例の内部組立構造模式図である。
【図３】図３は実施例のかかとマッサージ機構の一部部品の組立模式図である。
【図４】図４は実施例の偏心ローターの構造図である。
【図５】図５は実施例の偏向スリーブの構造図である。
【発明を実施するための形態】
【００１２】
以下では、図面を参照しながら本発明の具体的な実施形態を詳細に説明する。
【００１３】
図１−３に示される下肢マッサージ機は、カバー本体１、ベース２及びマッサージコアを備え、ベース２がベースプレート７と下部カバーを備え、マッサージコアがベースプレート７に固定して取り付けられ、カバー本体１には２つの足入れ口が設けられ、足入れ口内には布製の足カバーが取り付けられていて使用者の足部が機械本体内に進入することを防止し、マッサージコアが、かかとマッサージ機構、足裏マッサージ部材５、及び爪先マッサージ部材６を備え、かかとマッサージ機構が駆動装置と振動装置を備え、駆動装置が、モータ８、駆動軸１１、及び偏心ローター９を備え、モータ８がプーリ伝動機構によって駆動軸１１を回転駆動する。駆動軸１１の両端が軸受台を介してベースプレート７に取り付けられ、偏心ローター９が駆動軸１１に固定して取り付けられ、偏心ローター９の外輪郭が円形であり、偏心ローター９の回転軸線がその円心位置から離れている。駆動軸１１が回転する時には、カム機構のように、偏心ローター９が駆動軸１１に伴って回転する。
【００１４】
図３−５に示すように、振動装置が受け部材と案内部材１２を備え、受け部材が、かかとを受ける受け板４と、受け板４を振動駆動する偏向スリーブ１０とを備え、偏向スリーブ１０が偏心ローター９に取り付けられ、偏向スリーブ１０と偏心ローター９との間には転がり軸受が取り付けられており、転がり軸受の外輪が偏向スリーブ１０の軸受取付孔１０３内に固定され、転がり軸受の内輪が偏心ローター９の外輪郭面に固定される。偏向スリーブ１０の偏向軸線と偏心ローター９の回転軸線が重なり、案内部材１２がリンクロッドであり、案内部材１２の一端部がベース２に可動にヒンジ連結され、他端部が受け部材にヒンジ連結されて偏向スリーブ１０の偏向角度を限定する。
【００１５】
案内部材１２がヒンジ連結ホルダー１３を介してベースプレート７に取り付けられ、ヒンジ連結ホルダー１３がベースプレート７に固定され、案内部材１２とヒンジ連結ホルダー１３が可動にヒンジ連結され、ヒンジ連結ホルダー１３が２つの耳部を備え、案内部材１２の下端部が２つの耳部の間に位置し、２つの耳部がフォーク型に形成される。案内部材１２がピンによってヒンジ連結ホルダー１３にヒンジ連結される。
【００１６】
偏向スリーブ１０が接続部１０２とヒンジ連結部１０１を備え、受け板４がピンによって接続部１０２に固定して接続され、受け板４にはゴムパッドが取り付けられており、使用時には、かかとが受け板４に受けられる。案内部材１２とヒンジ連結部１０１が可動にヒンジ連結され、ヒンジ連結部１０１が２つの耳部を備え、案内部材１２の上端部が２つの耳部の間に位置し、案内部材１２がピンによってヒンジ連結部１０１にヒンジ連結される。摩損を低減させ、騒音を減少させ、ヒンジ連結端の耐用年数を延ばすために、案内部材１２の両端部のいずれにも転がり軸受が埋め込み式で取り付けられており、ヒンジ連結ピンが転がり軸受の内輪に固定される。
【００１７】
偏心ローター９が偏向スリーブ１０を揺動駆動する時には、案内部材１２は偏向スリーブ１０の駆動軸１１の軸線方向における移動を制限し、且つ偏向スリーブ１０の偏心ローター９における偏向角度を限定するために用いられる。
【００１８】
ベース２には金属ライナーが取り付けられており、振動装置のホルダーはいずれも、特にヒンジ連結ホルダー１３が金属ライナーに固定して接続される。金属ライナーとベース２との間にはゴムパッドが設けられており、緩衝と騒音低下の効果を実現可能であり、金属ライナーがさらにベース２を補強するという作用を果たして、長時間の振動によるベース２の疲労破損を防止することができる。
【００１９】
マッサージコアはさらに爪先マッサージ部材６と足裏マッサージ部材５を備える。足裏マッサージ部材５と爪先マッサージ部材６がいずれもローラであり、両者の間は歯車機構によって伝動される。モータ８と駆動軸１１がベルト機構によって伝動され、ベルト伝動機構は、伝動が安定しており、騒音が低いという利点を有する。
【００２０】
ベース２にはかかとを置くためのかかとホルダー１４が取り付けられており、かかとホルダー１４の底部には受け部材を上下運動させるための開口を有し、振動マッサージを行う時には、受け部材が開口内において上下運動する。かかとホルダー１４の側面には足部後側を囲む保護板３を有し、保護板３はかかと部の位置を制限して、かかとと他の部材との衝突を防止することができる。
【００２１】
上記実施例における足裏マッサージ部材５又は爪先マッサージ部材６は揉み板であってもよく、別のマッサージ機構はローラであって、揉み板がドラムに設けられたクランクにリンクロッドを介して接続される。クランクは回転する時には、揉み板をベース２上で前後摺動させて、クランクスライダ機構を形成する。
【００２２】
本発明は、実際の作動時には、モータ８が伝動機構によって駆動軸１１を回転駆動し、偏心ローター９が駆動軸１１に固定して取り付けられるため、偏心ローター９が駆動軸１１の駆動のもとで偏心運動を生じ、偏心ローター９の偏心運動が偏向スリーブ１０を駆動して偏向させ、案内部材１２が偏向スリーブ１０の揺動角度を制限する。偏向スリーブ１０の揺動が受け板４を上下運動させることにより、かかと部に対する振動式マッサージを実現する。
【００２３】
以上の実施例は好ましい解決手段に過ぎず、上記実施例に基づく実質的な相違点のない解決手段の回避は、いずれも本発明の特許権に対する侵害となる。
【符号の説明】
【００２４】
１．カバー本体、２．ベース、３．保護板、４．受け板、５．足裏マッサージ部材、６．爪先マッサージ部材、７．ベースプレート、８．モータ、９．偏心ローター、１０．偏向スリーブ、１１．駆動軸、１２．案内部材、１３．ヒンジ連結ホルダー、１４．かかとホルダー、１０１．ヒンジ連結部、１０２．接続部、１０３．軸受取付孔
【図１】
2018500966.tif 000003
【図２】
2018500966.tif 000004
【図３】
2018500966.tif 000005
【図４】
2018500966.tif 000006
【図５】
2018500966.tif 000007
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
カバー本体、ベース及びマッサージコアを備え、前記マッサージコアがかかとマッサージ機構を備える下肢マッサージ機であって、前記かかとマッサージ機構が駆動装置と振動装置を備え、駆動装置がモータ、駆動軸及び偏心ローターを備え、振動装置が受け部材と案内部材を備え、受け部材がかかとを受ける受け板と受け板を振動駆動して下肢に振動マッサージを行う偏向スリーブとを備え、偏向スリーブが偏心ローターに取り付けられ、偏向スリーブの偏向軸線と偏心ローターの回転軸線が重なり、偏心ローターの偏心運動が偏向スリーブを駆動して偏向させ、案内部材の一端部がベースにヒンジ連結され、他端部が受け部材にヒンジ連結されて偏向スリーブの偏向角度を限定することを特徴とする下肢マッサージ機。
【請求項２】
前記偏向スリーブと偏心ローターとの間には転がり軸受が取り付けられていることを特徴とする請求項１に記載の下肢マッサージ機。
【請求項３】
前記マッサージコアはさらに爪先マッサージ部材と足裏マッサージ部材を備えることを特徴とする請求項１に記載の下肢マッサージ機。
【請求項４】
前記足裏マッサージ部材がローラであり、爪先マッサージ部材が揉み板であり、揉み板がドラムに設けられたクランク軸にリンクロッドを介して接続されることを特徴とする請求項３に記載の下肢マッサージ機。
【請求項５】
前記足裏マッサージ部材と爪先マッサージ部材がいずれもローラであり、両者間が歯車機構によって伝動されることを特徴とする請求項３に記載の下肢マッサージ機。
【請求項６】
前記ベースには金属ライナーが設けられており、振動装置が金属ライナーに固定して接続されることを特徴とする請求項１に記載の下肢マッサージ機。
【請求項７】
前記ベースにはヒンジ連結ホルダーが固定して取り付けられており、案内部材がヒンジ連結ホルダーに可動にヒンジ連結され、ヒンジ連結ホルダーが金属ライナーに固定して接続されることを特徴とする請求項６に記載の下肢マッサージ機。
【請求項８】
前記ベースにはかかとを置くためのかかとホルダーが取り付けられており、かかとホルダーの底部には受け部材を上下運動させるための開口を有することを特徴とする請求項１に記載の下肢マッサージ機。
【請求項９】
前記かかとホルダーの側面には足部後側を囲む保護板を有することを特徴とする請求項１に記載の下肢マッサージ機。
【請求項１０】
前記受け部材及びベースのいずれにもフォーク型ヒンジ連結ホルダーが設けられており、案内部材のヒンジ連結端部がフォーク型ヒンジ連結ホルダー内に位置し、案内部材のヒンジ連結端部には転がり軸受が嵌設されており、ヒンジ連結ピンが転がり軸受の内輪に固定して接続されることを特徴とする請求項１に記載の下肢マッサージ機。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
カバー本体、ベース及びマッサージコアを備え、前記マッサージコアがかかとマッサージ機構を備える下肢マッサージ機であって、前記かかとマッサージ機構が駆動装置と振動装置を備え、駆動装置がモータ、駆動軸及び偏心ローターを備え、振動装置が受け部材と案内部材を備え、受け部材がかかとを受ける受け板と受け板を振動駆動して下肢に振動マッサージを行う偏向スリーブとを備え、偏向スリーブが偏心ローターに取り付けられ、偏向スリーブの偏向軸線と偏心ローターの回転軸線が重なり、偏心ローターの偏心運動が偏向スリーブを駆動して偏向させ、案内部材の一端部がベースにヒンジ連結され、他端部が受け部材にヒンジ連結されて偏向スリーブの偏向角度を限定することを特徴とする下肢マッサージ機。
【請求項２】
前記偏向スリーブと偏心ローターとの間には転がり軸受が取り付けられていることを特徴とする請求項１に記載の下肢マッサージ機。
【請求項３】
前記マッサージコアはさらに爪先マッサージ部材と足裏マッサージ部材を備えることを特徴とする請求項１に記載の下肢マッサージ機。
【請求項４】
前記足裏マッサージ部材がローラであり、爪先マッサージ部材が揉み板であり、揉み板がドラムに設けられたクランク軸にリンクロッドを介して接続されることを特徴とする請求項３に記載の下肢マッサージ機。
【請求項５】
前記足裏マッサージ部材と爪先マッサージ部材がいずれもローラであり、両者間が歯車機構によって伝動されることを特徴とする請求項３に記載の下肢マッサージ機。
【請求項６】
前記ベースには金属ライナーが設けられており、振動装置が金属ライナーに固定して接続されることを特徴とする請求項１に記載の下肢マッサージ機。
【請求項７】
前記ベースにはヒンジ連結ホルダーが固定して取り付けられており、案内部材がヒンジ連結ホルダーに可動にヒンジ連結され、ヒンジ連結ホルダーが金属ライナーに固定して接続されることを特徴とする請求項６に記載の下肢マッサージ機。
【請求項８】
前記ベースにはかかとを置くためのかかとホルダーが取り付けられており、かかとホルダーの底部には受け部材を上下運動させるための開口を有することを特徴とする請求項１に記載の下肢マッサージ機。
【請求項９】
前記かかとホルダーの側面には足部後側を囲む保護板を有することを特徴とする請求項８に記載の下肢マッサージ機。
【請求項１０】
前記受け部材及びベースのいずれにもフォーク型ヒンジ連結ホルダーが設けられており、案内部材のヒンジ連結端部がフォーク型ヒンジ連結ホルダー内に位置し、案内部材のヒンジ連結端部には転がり軸受が嵌設されており、ヒンジ連結ピンが転がり軸受の内輪に固定して接続されることを特徴とする請求項１に記載の下肢マッサージ機。
【国際調査報告】
2018500966.tif 000008
2018500966.tif 000009
2018500966.tif 000010
2018500966.tif 000011
2018500966.tif 000012
2018500966.tif 000013